(57)【要約】【課題】    使用に際して、適度な摺動性や筆記抵抗があって、使用感が良好なペンタブレットを提供する。【解決手段】  中心部から外方向に向かって放射状に延びるリブを有するエラストマからなる芯部材４の外周部を、樹脂素材からなる外皮５で被覆して軸部材２を構成し、前記軸部材２の先端部を、放物線状に研削加工することによって、先端方向に向かって順次肉薄としながら芯部材４の先端部を顕出させ、タッチ部３としてタッチパネル用ペン先１を構成する。【選択図】      図３
2014102788.tif 000002
【特許請求の範囲】
【請求項１】
中心部から外方向に向かって放射状に延びるリブを有し、かつエラストマからなる芯部材の外周部を、樹脂素材からなる外皮で被覆して軸部材を構成し、
前記軸部材の先端部の外皮を除去し、前記芯部材の先端部を顕出させてタッチ部としたこと
を特徴とするタッチパネル用ペン先。
【請求項２】
前記軸部材は、
前記外皮を除去に際し、その先端部を放物線状に研削加工することによって、前記外皮を先端部に向かって順次肉薄としながら芯部材を顕出させること
を特徴とする請求項１に記載のタッチパネル用ペン先。
【請求項３】
前記軸部材は、
研削加工よって、前記芯部材の先端部を砲弾状、筆状、チーゼル状、クサビ状としてタッチ部としたこと
を特徴とする請求項１又は２に記載のタッチパネル用ペン先。
【請求項４】
前記軸部材は、
先端側に縮径する段部を介してタッチ部が設けられていること
を特徴とする請求項１又は３に記載のタッチパネル用ペン先。
【請求項５】
前記芯部材は、
表面硬さ（ＪＩＳ Ｋ７２１５；タイプＤ）が、４０〜６３であること
を特徴とする請求項１〜４のいずれかに記載のタッチパネル用ペン先。
【請求項６】
前記外皮は、
押出成形で成形された、変形しにくい熱可塑性樹脂からなること
を特徴とする請求項１〜５のいずれかに記載のタッチパネル用ペン先。
【請求項７】
軸部材および／または外皮は、
導電性素材が配合されていること
を特徴とする請求項１〜６のいずれかに記載のタッチパネル用ペン先。
【発明の詳細な説明】
【技術分野】
【０００１】
この発明は、液晶ディスプレイに表示された部位にタッチさせながら、必要な情報を入力するためのタッチパネル用ペン先に関するものである。
【背景技術】
【０００２】
外部から受けた画像などの情報を液晶ディスプレイに表示する表示装置と、画面に表示された部位にタッチすることで機器を操作する入力装置からなるタッチパネルは、液晶ディスプレイに表示された部位、例えば、絵文字や図表など点や領域に、スタイラスペン又はペンタブレットと称される入力手段で、感圧式は圧力を加えることによって、静電式はタッチパネル表面の電荷を移動させることによって、情報信号を外部に出力させている。
【０００３】
かかる入力手の最も簡易なものとして、特開平０７−２６１９２５号公報（特許文献１）では、指先に装着し、ペン入力とキーボード入力を同時に行い易くするためのスタイラスペンとして、指先にホールドするためのホールド部とデジタイザに座標入力するためのポイント部からなるものが提案されている。
【０００４】
さらに、特開２００４−０１７５１９号公報（特許文献２）においては、簡単な操作によって、筆記機能を持たない入力ペンとしても利用できるものとして、入力ペンの先端部に形成されたペン軸先端部と、ペン軸先端部に移動可能に組み付けられた筆記機能を有する芯体からなる入力ペンが提案されている。
【０００５】
さらにまた、実開平０５−０２３２４０号公報（特許文献３）においては、芯の径方向のガタを防止し、筆圧感度が良好なスタイラスペンが提案されている。
このスタイラスペンは、外筒の先端部に形成した案内孔と、この案内孔に遊挿され、前記案内孔により先端部が保持された芯を有するスタイラスペンの、前記案内孔の内周面と前記芯の外周面との接触部の構造において、前記案内孔の内周面もしくはこの内周面に対向する前記芯の外周面の少なくとも一方に、周方向に沿って前記芯の径方向に突出した接触手段を形成したものである。
【０００６】
さらにまた、特開２０１２−１６８７２９号公報（特許文献４）においては、導電性を有するペン先で、擦れによる汚れが付き難いペン先が提案されている。
このペン先は、同文献の段落００３１に開示されているように、筆記具の形状を模した電子ペン本体と、このペン本体の先端部に装着するペン先とで構成されている。
【０００７】
前記電子ペン本体は、導電性樹脂、金属などの導電性を有する材料で形成された中空円筒形状を有するケースと、前記ケースと電気的に導通関係にあるタッチ部を装着する先端部とを有している。
さらに、前記先端部は、先細り形状を有し、この先細り形状の端部にはペン先装着孔が形成され、前記ペン先装着孔には、ペン先の嵌合孔に挿入される嵌合突起が設けられたものである。
【先行技術文献】
【特許文献】
【０００８】
【特許文献１】特開平０７−２６１９２５号公報（請求項１，図１）
【特許文献２】特開２００４−０１７５１９号公報（請求項１，図１，段落００２１）
【特許文献３】実開平０５−０２３２４０号公報（請求項１，図１，段落００１１）
【特許文献４】特開２０１２−１６８７２９号公報（図１，段落００３１）
【発明の概要】
【発明が解決しようとする課題】
【０００９】
前記特許文献１〜４に記載の入力手段は、いずれもペン本体は、円柱状もしくは中空円筒状の形態を有し、合成樹脂材料を素材とするものである。
したがって、ペンの使用感は、タッチ部の構成やタッチ部を支える保持機構などを改良することによって、良好となるよう創意工夫されている。
【００１０】
しかしながら、かかるペン先の構成やペン先を支える保持機構は、その構成が必ずしも簡単なものではなく、組み立て作業を自動化させることができないなど、解決すべき多くの課題を有するものである。
【００１１】
なお、特許文献４のペン先は、ペン先に用いられる導電性エラストマの導電性を付与する成分として、ナノカーボン（特に、カーボンナノチューブ）を選択することにより、十分な導電性を有していても、ペン先の擦れによる黒移りが著しく低減できるという効果を奏する、としている。
【００１２】
この発明はかかる現状に鑑み、使用に際しては、適度な摺動性や筆記抵抗（引っ掛かり感）があって、使用感が良好なタッチパネル用ペン先を提供することを目的とするものである。
【課題を解決するための手段】
【００１３】
前記目的を達成するため、この発明のタッチパネル用ペン先は、
中心部から外方向に向かって放射状に延びるリブを有し、かつエラストマからなる芯部材の外周部を、樹脂素材からなる外皮で被覆して軸部材を構成し、
前記軸部材の先端部の外皮を除去し、前記芯部材の先端部を顕出させてタッチ部としたこと
を特徴とするものである。
【００１４】
この発明の請求項２に記載の発明は、
請求項１に記載のタッチパネル用ペン先において、
前記軸部材は、
前記外皮を除去に際し、その先端部を放物線状に研削加工することによって、前記外皮を先端部に向かって順次肉薄としながら芯部材を顕出させること
を特徴とするものである。
【００１５】
この発明の請求項３に記載の発明は、
請求項２に記載のタッチパネル用ペン先において、
前記軸部材は、
研削加工よって、前記芯部材の先端部を砲弾状、筆状、チーゼル状、クサビ状としてタッチ部としたこと
を特徴とするものである。
【００１６】
この発明の請求項４に記載の発明は、
請求項１又は３に記載のタッチパネル用ペン先において、
前記軸部材は、
先端側に縮径する段部を介してタッチ部が設けられていること
を特徴とするものである。
【００１７】
この発明の請求項５に記載の発明は、
請求項１〜４のいずれかに記載のタッチパネル用ペン先において、
前記芯部材は、
表面硬さ（ＪＩＳ Ｋ７２１５；タイプＤ）が、４０〜６３であること
を特徴とするものである。
【００１８】
この発明の請求項６に記載の発明は、
請求項１〜５のいずれかに記載のタッチパネル用ペン先において、
前記外皮は、
押出成形で成形された、変形しにくい熱可塑性樹脂からなること
を特徴とするものである。
【００１９】
この発明の請求項７に記載の発明は、
請求項１〜６に記載のタッチパネル用ペン先において、
軸部材および／または外皮は、
導電性素材が配合されていること
を特徴とするものである。
【発明の効果】
【００２０】
この発明にかかるタッチパネル用ペン先は、中心部から外方向に向かって放射状に延びるリブを有するエラストマからなる芯部材を、樹脂製の外皮で被覆して得られた、軸部材の先端部の外皮を除去して芯部材を顕出させ、顕出させた芯部材の先端部をタッチ部としているので、適度な摺動性と筆記抵抗（引っ掛かり感）を有し、書き味、タッチパネルに対する操作性に優れたものである。
【００２１】
この発明においては、前記芯部材をエラストマで成形するに際し、その形状を、中心部から外方向に向かって放射状に延びるリブを有する形状とすることで、芯部材自体に柔軟性を付与するとともに、その素材をエラスマとしているので、エラストマと芯部材の形状が相互に作用し合って、タッチの際の押圧力を容易に調整することができ、その調整によって、必要に応じて接地面積を変えることができる。
この接地面積の変更によって、例えば、線の太さを容易にコントロールすることができる。
【００２２】
さらに、この発明のタッチパネル用ペン先は、タッチ部がタッチパネル面と密着させることができるので、タッチ部がタッチパネル面から浮き上がることがなく、手書き入力であっても、文字や図形などを正確に入力させることができる。
さらに、タッチ部とタッチパネル面との接地面積が可変であるため、摺動性に優れ、弾性感とのバランスも良好で、コシ、ねばり感がよく、適度な筆圧で入力が可能となる。
【００２３】
さらに、前記タッチ部を、軸部材の先端部に、先端側に縮径する段部を介して形成することによって、剥き出し部分が真っ直ぐになり、また、外皮の強度が向上するので、筆圧が作用しても外皮が割れ難くいなどの効果を奏する。
【図面の簡単な説明】
【００２４】
【図１】この発明にかかるタッチパネル用ペン先を使用したタッチパネル用ペンの一例を示す一部切欠き正面図である。
【図２】この発明にかかるタッチパネル用ペン先の一例を示す概略説明図であって、（Ａ）は軸部材の先端部分の正面図、（Ｂ）はその平面図である。
【図３】この発明にかかるタッチパネル用ペン先の他の例を示す概略説明図であって、（Ａ）は軸部材の先端部分の正面図、（Ｂ）はその平面図である。
【図４】図２における軸部材の要部の拡大図である。
【図５】この発明のタッチパネル用ペン先を構成する芯部材の一例を示す説明図である。
【図６】この発明のタッチパネル用ペン先の他の例を示す説明図で、（Ａ）は筆タイプを、（Ｂ）はチーゼルタイプを、（Ｃ）はクサビタイプを示すものである。
【発明を実施するための形態】
【００２５】
以下、この発明にかかるタッチパネル用ペン先の実施の一例を、添付の図面に基づいて具体的に説明する。
なお、この発明の要旨を変更しない範囲内で種々改良を加えることができるものであって、実施例にのみ限定されるものではない。
【００２６】
この発明のタッチパネル用ペン先１（以下、ペン先１という。）は、図１に示されるように、ペンホルダ７内に保持される軸部材２と、タッチパネルの画面と当接するタッチ部３とから構成されるものである。
【００２７】
かかるペン先１において、前記軸部材２は、芯部材４と、この芯部材４を内包する外皮５から構成されている。
【００２８】
前記芯部材４は、図５に示すように、横断面が、中心部から外方向に向かって放射状に延びる複数のリブＬで構成され、各リブＬ間に空隙Ｇを有するものである。
なお、この実施例では、各リブＬの先端は２つに分岐されているが、各リブＬの中心部が互いに一体化されているとともに、先端側が互いに被膜Ｆで相互に連結されていれば、その形態には特段の制限はない。
【００２９】
前記芯部材４は、ポリエステルエラストマ、ナイロンエラストマ、ウレタンエラストマなどの高弾性を有するエラストマからなるもので、押出成形によって調製される。
この芯部材４は、顔料を添加して着色することが可能なもので、用途によっても異なるが、φ１．０〜φ３．０のものが好ましい。
【００３０】
前記芯部材４の表面硬さ（ＪＩＳ Ｋ ７２１５；タイプＤ）は、４０〜６３の範囲のものが好ましい。
前記の表面硬さが４０以下では成形が難しく、６３以上の場合は硬くなりすぎ、使用感が良くないので好ましくない。
【００３１】
エラストマで調整された芯部材４は、その外周部を、ポリアセタールやポリアミドなどの熱可塑性樹脂を押出成形してコーティングして外皮５を形成し、軸部材２とするものである。
その際、前記熱可塑性樹脂に顔料を添加して着色可能とすることによって、前記タッチ部３の形状や硬さなど、ペン先１の種類を容易に見分けることができるので、好ましいものである。
なお、前記外皮５の素材は、研削が可能なものであれば、特段の制限はない。
この実施例においては、前記外皮５の厚みは０．１ｍｍとした。
【００３２】
かくして得た軸部材２は、その先端部の外皮５を除去することによって、内部の芯部材４を顕出させ、顕出した芯部材４の先端部をタッチ部３とするものである。
【００３３】
前記軸部材２における先端部の外皮５の除去は、内装する芯部材４を顕出させることを目的とするものであって、実施例においては、図２に示すように、先端部が放物線状となるよう研削加工し、外皮５が先端側に向かって順次肉薄となるよう研削し、顕出した芯部材４の先端部を砲弾状（半球状）に形成してタッチ部３とした。
なお、前記軸部材２の外皮５を切除し、内部の芯部材４を顕出させることができれば、研削形状については、特段の制限はない。
【００３４】
顕出させる芯部材４の長さは、用途に応じて決定することができる。
この実施例では、砲弾状のタッチ部３では０．２〜１．０ｍｍであるが、図６に示すように、用途に応じてタッチ部の形状を筆タイプ（Ａ）、チーゼルタイプ（Ｂ）、クサビタイプ（Ｃ）などにすることもできる。
かかる例では、剥き出し長さは、１．０〜５ｍｍとすることが好ましい。
【００３５】
図３に示す実施例は、前記芯部材４と外皮５からなる軸部材２は、前記実施例と同一であるが、前記外皮５の先端部を除去し、内装された芯部材４を顕出させてタッチ部３を形成するに際し、前記外皮５の先端部を先端方向に縮径させて段部６を形成し、この段部６の端面から芯部材４を顕出させ、先端を砲弾状に研削してタッチ部３を構成したものである。
【００３６】
この段部６の形成に際しては、図４に示すように、その幅Ｈは０．１〜０．５ｍｍとすることが好ましい。
前記段部の幅Ｈが０．１ｍｍ以下の場合は、実質的に段差の形成が難しく、幅Ｈが０．５ｍｍ以上の場合は、芯部材４の剥き出し部が斜めになるので好ましくない。
【００３７】
この段部６の先端方向への傾斜角θは、段部６の上縁側とタッチ部３の下縁が交わる交点Ｏから軸部材２の外面（外皮５の外周面）と平行する基準線Ｂに対して１５°〜６０°の範囲とすることによって、外皮５が緩やかに縮径して芯部材４と繋がり、前記段部６の基部６ａが一定の厚みを有するので、段部６に負荷が作用しても、その負荷に耐えて割れることがないので好ましい。
【００３８】
前記段部６の形成は、前記芯部材４の芯径のバラツキφ１．４〜φ１．８±０．０３〜０．０５ｍｍ、および芯部材４を被覆する際の外皮５との芯ズレ０．０１〜０．０３ｍｍ程度を考慮すると、研削加工による剥き出し部が斜めにならず、見た目がよく、真っ直ぐになる。
したがって、画面タッチの際の圧力による被覆部の割れ防止に優れた効果を奏する。
【００３９】
かくして得たこの発明にかかるペン先１の使用感を、下記表１に示す。
この表１において、実施例１とは、図１に示すペン先であって、芯部材４の表面硬度（ＪＩＳＫ ７２１５；タイプＤ）が４７のもの、実施例２は表面硬度（ＪＩＳＫ ７２１５；タイプＤ）が５３のもの、実施例３は表面硬度表面硬度（ＪＩＳＫ ７２１５；タイプＤ）が６３のものである。
なお、比較例とは、芯部材４がポリアセタール（ＰＯＭ）製で、内部構造が無垢（中実）のものである。
【００４０】
【表１】
2014102788.tif 000003
【００４１】
前記実施例においては、画面の押された位置を圧力で感知する感圧タイプのタッチパネル用ペン先について説明したが、前記芯部材４および／または外皮５を、導電性を有する素材で構成して静電タイプとすることもできる。
【００４２】
すなわち、静電気が発生し易いものを導線で繋いで電子を逃がし、その位置を感知する静電式タイプのタッチパネル用ペン先とするには、前記芯部材４を構成する高弾性を有するエラストマおよび／または外皮５を構成する熱可塑性樹脂中に、カーボン粒子や繊維フィラー、無機物を配合することで得ることができ、配合された素材が電気抵抗を下げることによって、電荷を移動させることができる。
【００４３】
この発明にかかるタッチパネル用ペン先１は、中心部から外方向に向かって放射状に延びるリブを有するエラストマからなる芯部材４を、合成樹脂製の外皮５で被覆して形成した軸部材２の先端部を、適宜手段によって除去し、前記芯部材４の先端部を外部に顕出させてタッチ部３としているので、タッチ部３自体が適度な弾性を有するとともに、エラストマとの相乗作用によって、タッチパネルなどの画面が傷付き難く、適度な筆記抵抗があって滑らず、コシ、ねばり感など有するものである。
【００４４】
この発明では、タッチパネルにタッチ部を接触させる場合、その押圧力を変化させることによって接地面積を自在に変化させることができる。
それによって、例えば、タッチパネルに自由に文字や図形などを容易に表示させることができる。
【００４５】
さらに、この発明のタッチパネル用ペン先１は、タブレットに触れるタッチ部３と軸部材２を従来のように個別に製作し、適宜の手段で軸部材３の先端部にタッチ部２を取付ける必要がないので、タッチパネル用ペン先の製作が簡単かつ容易で、製作工程を自動化することが可能なものである。
【００４６】
なお、前記軸部材２の外皮５を除去し、内部の芯部材４を顕出させるに際し、軸部材２の先端部に、当該先端部側に縮径する段部を介して芯部材４を顕出させれば、タッチ部３自体が真っ直ぐになるとともに、タッチ部３に付加が作用しても、外皮５の割れを防止することができる。
【産業上の利用可能性】
【００４７】
この発明のタッチパネル用ペン先は、内部に特定の構造からなる芯部材を内装した外皮の先端部外周を除去して、前記芯部材の先端部を外部に顕出させてタッチ部として、使用感を大幅に向上させているので、より広い用途での使用が可能なものである。
【符号の説明】
【００４８】
１    タッチパネル用ペン先
２    軸部材
３    タッチ部
４    芯部材
５    外皮
６    段部
７    ペンホルダ
Ｌ    芯部材を構成するリブ
Ａ    芯部材の空隙
Ｂ    基準線
Ｆ    被膜
Ｈ    段部の幅
Ｇ    空隙
θ    段部の先端方向への傾斜角
【図１】
2014102788.tif 000004
【図２】
2014102788.tif 000005
【図３】
2014102788.tif 000006
【図４】
2014102788.tif 000007
【図５】
2014102788.tif 000008
【図６】
2014102788.tif 000009